(57)【要約】      （修正有）【課題】黄色スズメ蜂の巣門空間での捕食を防ぎ、捕殺器の機能、オオスズメ蜂、小型スズメ蜂、スズメ蛾の侵入をも高い確率で防御するミツバチ用飛翔害敵防御器を提供する。【解決手段】ミツバチが出入りする巣門に取り付ける飛翔害敵捕殺器の枠体で区画される区間空間周囲を、疑似蜘蛛の糸で間隔を有して、前記枠体に回旋したミツバチ用飛翔害敵防御器であり、疑似蜘蛛の糸の間隔を飛翔害敵の飛翔時羽巾以下とする。【選択図】図１
2014050344.tif 000002
【特許請求の範囲】
【請求項１】
ミツバチが出入りする巣門に取り付ける飛翔害敵捕殺器の疑似蜘蛛の糸掛架棒で区画される区間空間周囲を、疑似蜘蛛の糸で間隔を有して、前記疑似蜘蛛の糸掛架棒に回旋したことを特徴とするミツバチ用飛翔害敵防御器。
【請求項２】
上記疑似蜘蛛の糸の間隔は黄色スズメ蜂の飛翔時羽巾以下若しくは上記疑似蜘蛛の糸を蜘蛛の糸と誤認して通過しない巾であることを特徴とする請求項１に記載のミツバチ用飛翔害敵防御器。
【発明の詳細な説明】
【技術分野】
【０００１】
本発明は、自然界における飛翔昆虫と蜘蛛（特にスズメ蜂とミツバチと女郎蜘蛛）の生態本能を応用したミツバチ用飛翔害敵防御器に関するものである。
【背景技術】
【０００２】
従来ミツバチ巣箱のミツバチ用スズメ蜂防御方法は巣門を狭くする。捕殺器を取り付ける。感電させて撃退する。ペットボトルに誘引液を入れて捕獲する。粘着材で捕獲する。網を張って防御する。人的に駆除する等の方法があった。
従来のミツバチ巣箱の害敵昆虫襲来防止器には、（例えば、特許文献1参照）とか蜜蜂用巣箱（例えば、特許文献2参照）などがあった。
【先行技術文献】
【特許文献】
【０００３】
【特許文献１】特開昭59-220136公報
【特許文献２】特開平9-266734公報
【発明の概要】
【発明が解決しようとする課題】
【０００４】
以上に述べた従来のミツバチ用飛翔害敵防御器は巣箱に侵入しようとするスズメ蜂には効果が有るが、巣門前空間でホバリングをしながら、蜜を溜めて戻って来るミツバチを捕食する黄色スズメ蜂には殆ど効果が無く、襲来頻度の多い巣箱では数多くのミツバチが巣門前で捕食されている。
【０００５】
また、従来のミツバチ用飛翔害敵防御器ではミツバチだけが自由に飛びながら往来できる安全空間は無く巣門への着地にまごついた戻りミツバチは黄色スズメバチに簡単に捕食され易かった。
【０００６】
特に巣門で待機している門番ミツバチの中へ飛び込めなかった戻りミツバチは俊敏に行動する黄色スズメ蜂の餌食になることが多かった。
【０００７】
本発明は、このような従来装置が有していた問題を解決しようとするものであり、従来起こっていた黄色スズメ蜂の巣門前空間での捕食を防ぎ、従来の捕殺器の機能、オオスズメ蜂、小型スズメ蜂、スズメ蛾の侵入をも高い確率で防御するミツバチ用飛翔害敵防御器を提供する。
【課題を解決するための手段】
【０００８】
本発明は、ミツバチが出入りする巣門に取り付ける飛翔害敵捕殺器の枠体で区画される区間空間周囲を、疑似蜘蛛の糸で間隔を有して、前記枠体に回旋したことを特徴とするミツバチ用飛翔害敵防御器であって、疑似蜘蛛の糸の間隔を飛翔害敵の飛翔時羽巾以下にした。スズメ蜂は飛翔時の広げた自分の羽の巾より狭い蜘蛛の糸の間は直進では飛翔しないことを発見した。これは飛翔昆虫は蜘蛛の巣に引っかかれば命を落とすことを本能的に知っているからだと思う。
【０００９】
夏から秋に掛けて巣箱の周りに沢山の女郎蜘蛛が蜘蛛の巣を架ける。この蜘蛛の巣にひっかかったミツバチをスズメ蜂はホバリングをしながら決して蜘蛛の巣に触れないように牙だけで獲物を銜えて後に下がりながら捕食する。但し、此の時のスズメ蜂の動きは蜘蛛の巣に細心の注意を払うためゆっくりした行動を取っている。これは自分も蜘蛛の巣に架かってしまえば死を招く事を本能的に知っているからだ。
【００１０】
その上、スズメ蜂は蜘蛛自体も餌として捕食する。平面的蜘蛛の巣を架ける蜘蛛はスズメ蜂の襲撃を受けると蜘蛛の巣の裏側へ逃げて敵から身を守るか蜘蛛の巣から落ちて身を守っている。しかし女郎蜘蛛は捕獲用の平面蜘蛛の巣と防御用の立体的蜘蛛の巣を併用して架けるためスズメ蜂は立体的蜘蛛の巣の中心部に営住する蜘蛛自体へはなかなか近づけず女郎蜘蛛は捕食されることが殆ど無い。
【００１１】
それと、蜘蛛の巣に対する認識力は同じ場所を往来するスズメ蜂とミツバチであってもスズメ蜂は全く蜘蛛の巣に架かる事が無い。しかしミツバチは頻繁に蜘蛛の巣に引っかかって蜘蛛の餌食になっている。これはミツバチよりもスズメ蜂の方が蜘蛛の巣に対する危険感知能力が高いものと思われる。
【００１２】
そこで上述した事を応用して、女郎蜘蛛をミツバチの巣門に置き換え、女郎蜘蛛の立体的蜘蛛の巣をスズメ蜂が蜘蛛の巣と誤認する疑似蜘蛛の糸（例えば釣り糸）に置き換えて、ミツバチの飛翔時の羽巾よりも広く、黄色スズメ蜂が羽ばたいている時の羽の巾よりも狭く巣門の前に安全空間が出来るように疑似蜘蛛の糸を張り巡らせることにした。
【００１３】
その上、黄色スズメ蜂はホバリング状態の目線位置より上方範囲への攻撃を得意とする特徴を持っているので本装置下面には通行遮断板を設け下方の往来を遮断することとした。
【００１４】
さらに、巣箱や疑似蜘蛛の巣が無い部分等に着地して歩いて侵入してくる各種大型害敵昆虫に対する備えとして、巣門捕殺器も兼ね備えることとした。
【００１５】
疑似蜘蛛の糸の巾は、ミツバチは自由に往来できるように出来るだけ巾広く、襲撃して来る蜂の中では一番小さな黄色スズメ蜂が直進通過しない出来るだけ広い巾35ｍｍ前後が適正巾である。
参考図である図４に図示するように、糸の大きさは釣糸の６号から８号位が蜘蛛の糸と認識し易く適正である。これはミツバチにとって自分は容易に通過できる巾と認識し疑似蜘蛛の糸の間を自由に往来する。しかし黄色スズメ蜂も疑似蜘蛛の糸を蜘蛛の糸と容易に認識できるので反対に羽が触れる事を悟り往来しない。釣糸の１号から１２号までを試した結果６号より細いと疑似蜘蛛の糸に衝突するミツバチが増えてくる又、８号より太いと蜘蛛の糸と認識しないスズメ蜂が出てくる。
【発明の効果】
【００１６】
上述したように、本発明の疑似蜘蛛の巣を有するミツバチ用飛翔害敵防御器をミツバチ巣箱に取り付けると、従来巣門直前で着地時に減速して飛ぶ戻りミツバチを捕食していた黄色スズメ蜂であったが、疑似蜘蛛の糸に囲まれた巣門前空間へは殆ど侵入することが無く黄色スズメ蜂の戻りミツバチの巣門前捕食がなくなった。
【００１７】
たまに、スズメ蜂は直進飛翔体制では侵入しない巣門前空間の中へ、横方向にスライド飛びで侵入することがある。しかし疑似蜘蛛の糸で囲まれた巣門前空間は体の大きなスズメ蜂にとっては窮屈な空間で俊敏な動きができない空間であると共に、疑似蜘蛛の糸で覆われた中には門番ミツバチが沢山おり、門番ミツバチの熱殺攻撃を恐れるがゆえにあわてて巣門前空間の外へ退散してしまう。
【００１８】
その上、巣門前空間に入る時のミツバチはスピードを落とすことなく侵入出来るので黄色スズメ蜂のホバリングからの攻撃のスピードより速くミツバチは捕食されない。しかしたまにホバリングしている黄色スズメ蜂に突進してくる戻りミツバチが出合い頭に捕食されることがある位である。
【００１９】
さらに、巣門捕殺器と併用する事で巣箱に着地して歩足で侵入して来る大型害敵昆虫からの攻撃も防御出来、従来の様にスズメ蜂による被害がなくなった。
【図面の簡単な説明】
【００２０】
【図１】本発明の実施形態を示す本装置の全体斜視図である。
【図２】図1に図示のミツバチ用飛翔害敵防御器のA- A矢視の断面図である。
【図３】図1に図示のミツバチ用飛翔害敵防御器の正面図である。
【図４】各種蜂の平均的サイズ表である。
【図５】女郎蜘蛛の巣詳細図である。
【発明を実施するための形態】
【００２１】
図1から図５を参照して以下本発明の実施形態例に基づいて構成を説明する。
【実施例】
【００２２】
図１は、発明の実施形態を示す本装置の全体斜視図であって、捕殺機能を持った枠体（捕獲室上部板７、捕獲室側部板８、捕獲室兼底部通行遮断板９、正面部板１０）と、同枠体（正面部板１０）の巣門前空間を適正巾を持たせた疑似蜘蛛の糸で覆って安全な空間を示した図である。。図２に図示する如く捕獲室上部板（枠体）７と捕獲室側部板（枠体）８と捕獲室兼底部通行遮断板（枠体）９と正面部板（枠体）１０で形成される空間、捕獲室１６を有し、正面部板（枠体）１０にはミツバチよりも大きな昆虫は通行不可の防御器巣門１２を設ける。正面部板（枠体）１０下部を切欠き大型昆虫が通れる大型害敵昆虫侵入口１１を設け、捕獲室１６側に大型害敵昆虫捕獲扉用掛架ピン２０によって掛架された大型害敵昆虫捕獲用一方扉２１を設け、捕獲室１６に一度侵入したら大型害敵昆虫捕獲用一方扉２１からは戻れない構造にする。捕獲室１６からは捕殺室誘導通路２６を介して大型害敵捕殺扉用掛架ピン２２に掛架された大型害敵昆虫補殺用一方扉２３設ける。大型害敵昆虫補殺用一方扉２３はミツバチには押し開けられない負荷が掛かりスズメ蜂の押力では押し開けることが可能な傾斜を付けた透明板とする。大型害敵昆虫補殺用一方扉２３の先には正面部板（枠体）１０に接合された捕殺室筒１４と捕殺室筒１４の先端に装備された捕殺室選別金網１５を有する捕殺室１７を有する。捕殺室選別金網１７はスズメ蜂より小さい昆虫は通過できるがミツバチより大きな昆虫は通行不可の目地5ｍｍ位の金網とする。さらに、上記捕殺器には侵入せず防御器巣門１２の外で捕食されるミツバチを守るために、捕獲室上部板（枠体）７と捕獲室側部板８と捕獲室兼底部通行遮断板９で形成される箱の四隅に正面部板（枠体）１０よりも突き出るように上下側部疑似蜘蛛の糸掛架棒５を設け、側部疑似蜘蛛の糸２、上部疑似蜘蛛の糸３、底部疑似蜘蛛の糸４で黄色スズメ蜂の飛翔時羽巾よりも狭く回旋する。正面には上下側部疑似蜘蛛の糸掛架棒５の先端に正面疑似蜘蛛の糸掛架棒６を上下に取り付け黄色スズメ蜂が飛翔羽巾では必ず羽が正面部疑似蜘蛛の糸に接触する巾に設置し、正面部板１０（枠体）と外界の間に疑似蜘蛛の糸におおわれた防御器巣門前安全空間２７を創設する。
【００２３】
本装置を設置する場合は、巣箱接合部２９を巣箱１８に、巣箱巣門１９を塞がない様に巣箱取り付け孔１３からネジで取り付ける。
【００２４】
図３は、本装置正面図であり、捕獲室上部板７、捕獲室側部板８、捕獲室兼底部通行遮断板９、正面部１０で形成された枠体捕獲室１６の外郭に上下側部疑似蜘蛛の糸掛架棒５をそれぞれ取り付け上下側部疑似蜘蛛の糸掛架棒５に側部疑似蜘蛛の糸２を回旋し、上下側部疑似蜘蛛の糸掛架棒５に正面疑似蜘蛛の糸掛架棒６を取り付け、正面疑似蜘蛛の糸掛架棒６に正面部疑似蜘蛛の糸１を張った図である。
図４は各種働き蜂の平均的サイズを示した図で、胸厚Eは各昆虫が歩きながら通過可能な参考サイズになる、飛翔時の羽間Dのミツバチ26ｍｍと害敵スズメ蜂の中では一番小さな黄色スズメ蜂45ｍｍが本発明の疑似蜘蛛の糸の隙間巾決定参考サイズになる。
【００２５】
図５は女郎蜘蛛の自然界における巣の構造であり、平面的な粘着力のある捕獲用蜘蛛の巣２４と粘着力の無い立体的な防御用蜘蛛の巣２５と立体的防御用蜘蛛の巣２５に守られている女郎蜘蛛営住位置２８を示した、自然界における女郎蜘蛛の害敵防御方法図である。
【産業上の利用可能性】
【００２６】
本発明によれば、本装置を利用することで巣門前にスズメ蜂が飛翔体制では侵入しにくい安全空間を新設出来、従来巣門前で捕食する黄色スズメ蜂からもミツバチを防衛出来るようになった。
【符号の説明】
【００２７】
１    正面部疑似蜘蛛の糸
２    側部疑似蜘蛛の糸          
３    上部疑似蜘蛛の糸
４    底部疑似蜘蛛の糸      
５    上下側部疑似蜘蛛の糸掛架棒      
６    正面疑似蜘蛛の糸掛架棒              
７    捕獲室上部板（枠体）        
８    捕獲室側部板（枠体）  
９    捕獲室兼底部通行遮断板（枠体）  
１０  正面部板（枠体）      
１１  大型害敵昆虫侵入口        
１２  防御器巣門      
１３  巣箱取り付け孔  
１４  捕殺室筒                  
１５  捕殺室選別金網  
１６  捕獲室
１７  捕殺室
１８  巣箱
１９  巣箱巣門
２０  大型害敵昆虫捕獲扉用掛架ピン
２１  大型害敵昆虫捕獲用一方扉
２２  大型害敵昆虫捕殺扉用掛架ピン
２３  大型害敵昆虫捕殺用一方扉
２４  捕獲用蜘蛛の巣
２５  防御用蜘蛛の巣
２６  捕殺室誘導通路
２７  防御器巣門前安全空間
２８  女郎蜘蛛営住位置
２９  巣箱接合部
【図１】
2014050344.tif 000003
【図２】
2014050344.tif 000004
【図３】
2014050344.tif 000005
【図４】
2014050344.tif 000006
【図５】
2014050344.tif 000007